(57)【要約】【課題】本発明は、転写材搬送ガイドの転写バイアスリーク対策と、色ずれセンサの静電気破壊を防止と、光学センサの分解能を向上させることとを装置の小型化しつつ可能とし、さらに、高精度な色レジスト制御により高画質のカラー画像を得ることを可能とする画像形成装置を提供する。【解決手段】中間転写ベルト６に対して近接して配置された色ずれセンサを支持する光学センサユニット２９に転写材搬送ガイド３５を設けた、光学センサユニット２９の位置を変化させることで、転写材搬送ガイド３５の接地経路を変えることができ、転写材搬送ガイド３５の転写バイアスリーク対策と色ずれセンサの静電気破壊防止を兼ねることができ、装置の小型化が可能となると共に、中間転写ベルト交換時のみ、交換に必要な隙間を設けるように移動させることができる。【選択図】図３
2019015760.tif 000002
【特許請求の範囲】
【請求項１】
１色以上のトナー像を担持する像担持体と、前記像担持体から転写材にトナー像を転写する転写部へ転写材を案内する案内部材を備え、通電によって作動するデバイスが設けられた電気ユニットとを有する画像形成装置において、
前記電気ユニットは、第１位置と、前記第１位置より前記像担持体から退避した第２位置に移動可能であって、
前記電気ユニットが前記第１位置に位置する場合は、前記案内部材が抵抗部材を通して接地され、
前記電気ユニットが前記第２位置に位置する場合は、前記案内部材が前記抵抗部材を通さず接地することを特徴とする画像形成装置。
【請求項２】
前記画像形成装置の内部を開放するための開閉部材を備え、前記電気ユニットの前記第１位置と前記第２位置の間の移動は、前記開閉部材の開閉動作に連動することを特徴とする請求項１記載の画像形成装置。
【請求項３】
前記電気ユニットを前記第１位置と前記第２位置に変位させる変位機構を有し、
前記開閉部材は、前記変位機構に設けられた受け部に係合する係合部を有し、
前記開閉部材が閉じられた場合に、前記係合部と前記受け部とが係合することにより、前記変位機構は、前記電気ユニットが前記第１位置に位置するように、該電気ユニットを支持し、
前記開閉部材が開かれた場合に、前記係合部と前記受け部との係合が解除されることにより、前記変位機構は、前記電気ユニットが前記第２位置に位置するように、該電気ユニットを支持することを特徴とする請求項２記載の画像形成装置。
【請求項４】
前記電気ユニットは、前記案内部材と電気的に接続された導電性の支持受け部を有し、
前記変位機構は、前記支持受け部に接触することにより、前記電気ユニットを支持するとともに、該支持受け部と電気的に接続される導電性の第１の支持部と、該第１の支持部と電気的に接続された導電性の導通部とを有し、
前記変位機構は、前記受け部が前記係合部に係合した場合に、前記導通部が抵抗部材を介して接地され、前記受け部が前記係合部との係合を解除された場合に、前記導通部が、第１の導電性部材を介して接地されることを特徴とする請求項３記載の画像形成装置。
【請求項５】
前記電気ユニットは、前記案内部材と抵抗部材を介して電気的に接続されるとともに接地される第２の導電性部材と、前記案内部材と電気的に接続された導電性の支持受け部を有し、
前記変位機構は、前記支持受け部に接触することにより、前記電気ユニットを支持する第２の支持部と、前記支持受け部に接触することにより、前記支持受け部と電気的に接続され、第３の導電性部材を介して接地される導電性の接触部とを有し、
前記変位機構は、
前記受け部が前記係合部に係合した場合に、前記第２の支持部が前記支持受け部に接触することにより、前記電気ユニットを第１の位置に位置するように支持するとともに、前記案内部材が、前記抵抗部材を介して接地され、
前記受け部が前記係合部との係合を解除された場合に、前記電気ユニットが、前記接触部が前記支持受け部に接触する第２の位置となり、前記案内部材が、前記第３の導電性部材を介して接地されることを特徴とする請求項３記載の画像形成装置。
【請求項６】
前記デバイスが光学センサであることを特徴とする請求項１ないし５のいずれか１項に記載の画像形成装置。
【請求項７】
前記像担持体が中間転写体であり、前記光学センサが前記中間転写体の上に担持された前記トナー像を検知するセンサであることを特徴とする請求項６記載の画像形成装置。
【請求項８】
前記第１位置において、前記光学センサは像担持体の近傍に位置し、前記第２位置において、前記像担持体の着脱を可能とする空間を設けることが可能なことを特徴とする請求項６又は７記載の画像形成装置。
【発明の詳細な説明】
【技術分野】
【０００１】
本発明は、電子写真方式や静電記録方式を用いた画像形成装置に関するものであり、特に、光学式検知手段を有する画像形成装置に関するものである。
【背景技術】
【０００２】
従来、装置全体の小型化が重要視され、その小型化技術の一つとして、像担持体上の各色のトナー像を中間転写ベルト上に一旦転写し、その後、中間転写ベルト上の複数色のトナー像を記録材に一括転写する方式を採用したカラー画像形成装置が知られている。
【０００３】
一般に、中間転写ベルトから転写材へのトナー像の転写は、トナー像の帯電極性と逆極性の電界を形成するように、転写バイアス（転写電圧）を印加し、静電引力を発生させる静電転写プロセスを利用した転写部で行われている。このような転写部において、転写バイアスのリークによる転写不良が発生しない方法として、転写材搬送ガイドを抵抗値の切り替え制御可能な除電回路を用いて接地する方法が特許文献１に開示されている。
【０００４】
また、このような画像形成装置では、色レジスト制御手段が備えられる。まず、感光ドラムへのトナー像の形成、そのトナー像の中間転写ベルトへの転写により、ベルト上に色レジスト検知用の基準画像として各色のトナーによるレジストマーク（トナーマーク）を形成する。そして、中間転写ベルトの最終色のブラック画像形成部の下流側に設置した光学センサでレジストマークを検出して、感光ドラムへの画像の書き出し位置を補正等するなどの、色レジスト制御が行われている。光学センサは、中間転写ベルトが面方向に暴れ、光学センサと中間転写ベルトの距離が変化しないよう、中間転写ベルトがローラに張架され巻き付いている位置に光学センサの光が照射されるように設けられる。このような光学センサおいて、中間転写ベルトの交換や、転写材の詰り時にユーザアクセスによる静電気破壊を防止するために、放電した電流を引き寄せる導電部材を光学センサ近傍に設け接地する方法が特許文献２に開示されている。
【先行技術文献】
【特許文献】
【０００５】
【特許文献１】特開２００９−１２８４８１号公報
【特許文献２】特開２０１５−８２０６５号公報
【発明の概要】
【発明が解決しようとする課題】
【０００６】
しかしながら、転写材搬送ガイドの接地経路に除電回路を設ける方法は、制御手段との接続や専用の除電回路が必要になり、装置本体の大型化、コストアップの要因となる。
また、光学センサの近傍に導電部材を設け接地する方法は、専用の導電部材と接地経路が必要になり、装置本体の大型化、コストアップの要因となる。
転写材搬送ガイドは除電回路を設ける必要があり、また、光学センサの近傍には導電部材で直接接地する必要があり、求められる抵抗値がお互いに違う。そのため、転写材搬送ガイドから光学センサ近傍の導電部材にリークしないように、かつそれぞれ接地経路が必要とされる。このように、転写材搬送ガイドと光学センサはお互いに近接した位置に配置することができないため、製品の小型化が難しい。
また、光学センサは中間転写ベルトに近接できるほど、反射光を強く受光でき、受光量が強い分光学センサの光を絞り、光学センサの分解能を上げることができる。しかし、光学センサを中間転写ベルトに対して近接するほど、中間転写ベルト交換時に接触し、キズを付ける恐れがある。
【０００７】
従って、本発明は、転写搬送ガイドの除電と、光学センサの静電気破壊の防止と、光学センサの分解能を向上させること、装置を小型化しつつ可能とすることを目的とする。さらに、高精度な色レジスト制御により高画質のカラー画像を得ることを可能とする画像形成装置を提供することを目的とする。
【課題を解決するための手段】
【０００８】
上記目的を達成するため、本発明の画像形成装置は、１色以上のトナー像を担持する像担持体と、前記像担持体から転写材にトナー像を転写する転写部へ転写材を案内する案内部材を備え、通電によって作動するデバイスが設けられた電気ユニットとを有する画像形成装置において、
前記電気ユニットは、第１位置と、前記第１位置より前記像担持体から退避した第２位置に移動可能であって、
前記電気ユニットが前記第１位置に位置する場合は、前記案内部材が抵抗部材を通して接地され、
前記電気ユニットが前記第２位置に位置する場合は、前記案内部材が前記抵抗部材を通さず接地することを特徴とする。
【発明の効果】
【０００９】
従って、本発明は、転写搬送ガイドの除電と、光学センサの静電気破壊を防止と、光学センサの分解能を向上させることを、装置を小型化しつつ可能とする。さらに、これにより、高精度な色レジスト制御により高画質のカラー画像を得る画像形成装置を提供することを可能とする。
【図面の簡単な説明】
【００１０】
【図１】本発明の実施例１に係る画像形成装置１００の概略断面図
【図２】本発明の実施例１に係る光学センサユニット２９の全体図
【図３】本発明の実施例１に係る光学センサユニット２９の動作を示す背面図
【図４】本発明の実施例２に係る光学センサユニット２９の全体図
【図５】本発明の実施例２に係る光学センサユニット２９の動作を示す背面図
【発明を実施するための形態】
【００１１】
以下に図面を参照して、この発明を実施するための形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものである。すなわち、この発明の範囲を以下の実施の形態に限定する趣旨のものではない。
以下、本発明に係る画像形成装置を図面に則して更に詳しく説明する。
【００１２】
［実施例１］
図１は、本発明の一実施例に係る画像形成装置１の概略断面図である。本実施例の画像形成装置１は、電子写真方式を用いてフルカラー画像を形成することのできる、中間転写方式を採用したタンデム型（４連ドラム方式）のカラーレーザービームプリンタである。
画像形成装置１は、複数の画像形成部として一列に並べて配置された第１、第２、第３、第４のプロセスカートリッジ３Ｙ、３Ｍ、３Ｃ、３Ｋを有する。これらのプロセスカートリッジ３Ｙ、３Ｍ、３Ｃ、３Ｋは、それぞれイエロー（Ｙ）、マゼンタ（Ｍ）、シアン（Ｃ）、ブラック（Ｋ）のトナー像を形成する。また、これらのプロセスカートリッジ３Ｙ、３Ｍ、３Ｃ、３Ｋの下方には、露光手段としてのレーザースキャナ４が配置されている。また、これらのプロセスカートリッジ３Ｙ、３Ｍ、３Ｃ、３Ｋの上方には、プロセスカートリッジ３Ｙ、３Ｍ、３Ｃ、３Ｋで形成されたトナー像を転写材Ｓに転写するための
中間転写ユニット５が配置されている。
なお、各色の画像を形成するためにそれぞれ設けられた実質的に同一の構成や機能を有する要素については、特に区別する必要のない場合は、いずれかの色用の要素であることを示す符号の末尾のＹ、Ｍ、Ｃ、Ｋは省略して総括的に説明する。
【００１３】
プロセスカートリッジ３は、１次像担持体としての回転可能なドラム型（円筒形）の電子写真感光体である感光体ドラム１２を有する。また、プロセスカートリッジ３は、感光体ドラム１２に作用するプロセス手段として、帯電手段としてのローラ型の帯電部材である帯電ローラ１３、現像手段としての現像装置１４、及び感光体クリーニング手段としてのドラムクリーニング装置１７を有する。これら感光体ドラム１２、帯電ローラ１３、現像装置１４、及びドラムクリーニング装置１７は、一体的に画像形成装置１に対して着脱可能とされている。
感光体ドラム１２は、図示しない駆動源と駆動列とにより図中矢印Ｒ１方向に所定の速度（周速度）で回転駆動される。回転する感光体ドラム１２の表面は、帯電ローラ１３によって所定の極性（本実施例では負極性）の所定の電位に一様に帯電させられる。このとき、帯電ローラ１３には、所定の帯電電圧（帯電バイアス）が印加される。帯電した感光体ドラム１２の表面は、各色成分の画像情報に従ってレーザースキャナ４から照射されるレーザービームによって走査露光される。これにより、感光体ドラム１２上に各色成分の画像情報に従った静電像（静電潜像）が形成される。感光体ドラム１２上に形成された静電像は、現像装置１４によって、現像剤としてのトナーを用いてトナー像として現像（可視化）される。トナーは、現像装置１４の現像剤容器１６に収容されている。このとき、現像装置１４の現像ローラ１５には、所定の現像電圧（現像バイアス）が印加される。本実施例では、イメージ部露光と反転現像とにより、トナー像が形成される。つまり、現像装置１４は、一様に帯電処理された後に露光されることで電位の絶対値の低下した感光体ドラム１２上の露光部に、感光体ドラム１２の帯電極性（本実施例では負極性）と同極性に帯電したトナーを付着させる。
【００１４】
中間転写ユニット５は、４個の感光体ドラム１２Ｙ、１２Ｍ、１２Ｃ、１２Ｋに対向するように配置された、２次像担持体かつ中間転写体としての無端状のベルトで構成された中間転写ベルト６を有する。ここでは、１色以上のトナー像として４色のトナー像が中間転写ベルト６に担持される。中間転写ベルト６は、画像形成装置１において用いられる移動可能な移動体の一例である。中間転写ベルト６は、複数の張架ローラとしての駆動ローラ７、テンションローラ８及び二次転写対向ローラ９に巻回されている。中間転写ベルト６は、テンションローラ８によって所定の張力が付与された状態で、上記複数の張架ローラに張架されている。中間転写ベルト６は、図示しない駆動源と駆動列とにより駆動ローラ７が回転駆動されることで、その駆動力が伝達されて図中矢印Ｒ２方向に所定の速度（周速度）で回転（周回移動）する。中間転写ベルト６の裏面（内周面）側において、各感光体ドラム１２Ｙ、１２Ｍ、１２Ｃ、１２Ｋと対向する位置には、一次転写手段としてのローラ型の一次転写部材である一次転写ローラ１０Ｙ、１０Ｍ、１０Ｃ、１０Ｋが配置されている。一次転写ローラ１０は、中間転写ベルト６を介して感光体ドラム１２に向けて押圧され、中間転写ベルト６と感光体ドラム１２とが接触する一次転写部（一次転写ニップ）Ｔ１を形成する。また、中間転写ベルト６の表面（外周面）側において、二次転写対向ローラ９と対向する位置には、二次転写手段としてのローラ型の二次転写部材である二次転写ローラ１１が配置されている。二次転写ローラ１１は、中間転写ベルト６を介して二次転写対向ローラ９に向けて押圧され、中間転写ベルト６と二次転写ローラ１１とが接触する転写部としての二次転写部（二次転写ニップ）Ｔ２を形成する。
感光体ドラム１２上に形成されたトナー像は、各一次転写部Ｔ１において、一次転写ローラ１０の作用により、中間転写ベルト６上に転写（一次転写）される。このとき、一次転写ローラ１０には、現像時のトナーの帯電極性（正規の帯電極性）とは逆極性の直流電圧である所定の一次転写電圧（一次転写バイアス）が印加される。例えば、フルカラー画
像の形成時には、４個の感光体ドラム１２Ｙ、１２Ｍ、１２Ｃ、１２Ｋに形成された各色のトナー像が、中間転写ベルト６上に重ね合わせるようにして順次転写されて、中間転写ベルト６上にフルカラー画像用の多重トナー像が形成される。
中間転写ベルト６上に形成されたトナー像は、二次転写部Ｔ２において、二次転写ローラ１１の作用により、中間転写ベルト６と二次転写ローラ１１とに挟持されて搬送される転写材Ｓ上に転写（二次転写）される。このとき、二次転写ローラ１１には、トナーの正規の帯電極性とは逆極性の直流電圧である所定の二次転写電圧（二次転写バイアス）が印加される。
【００１５】
記録用紙やプラスチックシートなどの転写材Ｓは、給送装置１８によって二次転写部Ｔ２へと供給される。給送装置１８は、積載されて収容された転写材Ｓを１枚ずつ分離して送り出すカセット給送部１９及び手差し給送部２０、所定のタイミングで転写材Ｓを二次転写部Ｔ２に搬送するレジストローラ対２１などを有している。
トナー像が転写された転写材Ｓは、定着手段としての定着装置２２において、定着ローラ２３と加圧ローラ２４とで形成される定着ニップで挟持されて搬送される過程で熱及び圧力が加えられて、その上にトナー像が定着（固着）される。その後、転写材Ｓは、排出ローラ対２５などによって搬送されて、画像形成装置１の上面に設けられたトレイ２６に排出される。
【００１６】
中間転写ベルト６の最終色ブラック画像形成部の下流側には、光学センサユニット２９が設置され、中間転写ベルト６上に形成した色レジスト検知用の基準画像である各色のトナーによるレジストマーク２８（トナーマーク）を検知する。そして、その検知結果を元に感光体ドラム１２への画像書き出し位置を補正等するなどの色レジスト補正が行われる。
【００１７】
電気ユニットとしての光学センサユニット２９について、図２〜３で説明する。図２（ａ）は、光学センサユニット２９の全体斜視図、図２（ｂ）は、光学センサユニット２９のセンサ部の断面図である。図２（ｂ）に示すように、センサ部であるデバイスとしての光学センサ３０は、光を発射するＬＥＤ３１と、その光が中間転写ベルト６で反射した反射光を受光するフォトトランジスタ３２とを組み合わせている。また、ＬＥＤ３１やフォトトランジスタ３２に、空気中を舞う埃や中間転写ベルト６上のトナー像から微量ではあるがトナーが飛散することによる汚れが、付着しないように透明なカバーガラス３３を設ける。ここで、デバイスとは、通電によって作動し、特定の機能を果たす素子や装置であり、光学センサに限られない。図２（ａ）に示すように、光学センサ３０は、中間転写ベルト６の幅方向両端部にベルト移動方向に沿って形成した２列のレジストマーク２８に対応するために中間転写ベルト６の幅方向両端部の２箇所に配置され、光学センサ支持部材３４によって保持される。光学センサ支持部材３４は、中間転写ベルト６のベルト面が面方向に暴れて光学センサ３０と中間転写ベルト６の距離が変化しないよう、中間転写ベルト６が駆動ローラ７に対して張架され巻き付いている位置に光学センサ３０の光が照射されるように設ける。光学センサ支持部材３４は、本体枠２の穴形状部に光学センサ支持部材３４の軸部３４ａが回動可能に保持されている。光学センサ支持部材３４は、後述する付勢ユニット４０により、当接部３４ｂが駆動ローラ７の駆動ローラ軸７ａに対し付勢され当接することで位置が決まる。また、光学センサユニット２９には、案内部材としての金属製の転写材搬送ガイド３５が設けられ、図１に記載の二次転写部Ｔ２へ転写材Ｓを案内すると共に、光学センサユニット２９の剛性を確保している。光学センサユニット２９は、中間転写ユニット５の駆動ローラ７に対して位置が決まるため、二次転写部Ｔ２へ転写材Ｓを精度良く案内することが可能となる。また、光学センサ支持部材３４には、転写材搬送ガイド３５から後述する付勢ユニット４０へ接地をするための導電性材料から成る第１アース部材（支持受け部）３６を設ける。
【００１８】
次に、付勢ユニット４０について説明する。付勢ユニット４０は、本体枠２に取り付けられている。付勢ユニット４０は、半導電材料から成る付勢ベース４１と、回動可能に付勢ベース４１に設けられた付勢リンク４２と、導電性材料から成り光学センサ支持部材３４を付勢する付勢キャップ４３と、付勢力を付与する圧縮バネの付勢バネ４４で構成される。
【００１９】
次に、光学センサユニット２９の動作について図２（ａ）のＸ方向から見た図３で説明する。図３（ａ）に示すように、付勢ユニット４０は、開閉部材としての中間転写ユニット交換扉５０に設けられた付勢リンク抑え（係合部）５１と付勢リンク（受け部)４２が
係合することにより、付勢リンク抑え５１によって付勢リンク４２が抑えられる。そのため、付勢バネ４４の付勢力が付勢キャップ４３に伝わり、光学センサユニット２９は駆動ローラ軸７ａに対して付勢される第１位置となる。このとき、付勢キャップ４３（第１の支持部）が第１アース部材に接触することにより、付勢キャップ４３を介して、光学センサ２９が第１位置に位置するように支持される。付勢バネ４４の一端である付勢バネ導通部（導通部）４４ａは、付勢ベース４１に対して付勢される。これにより、転写材搬送ガイド３５は、第１アース部材３６から付勢キャップ４３と付勢バネ４４を通して、半導電材料から成り本体枠２に取り付けられた抵抗部材としての付勢ベース４１に電気的接続されるため、半導電材料を通して接地される。
一方、図３（ｂ）に示すように、中間転写ユニット交換扉５０が中間転写ユニット５の交換や転写材の詰りによりユーザアクセスで画像形成装置の内部を開放した状態では、付勢リンク抑え５１と付勢リンク４２との係合が解除される。したがって、このときには、付勢リンク抑え５１によって付勢リンク４２が抑えられない。このため、光学センサユニット２９が駆動ローラ７に対して付勢されない第２位置となる。このとき、付勢キャップ４３を介して光学センサユニット２９が第２位置に位置するように支持される。この第２位置は、第１位置よりも中間転写ベルト６から退避した位置である。また、この第２位置は、中間転写ベルト６又はこれを含む中間転写ユニット５を着脱可能としたり、転写材の詰まりを取り除くことを可能とする空間が設けられる位置でもある。付勢リンク４２は、光学センサユニット２９の重さによって駆動ローラ７から離れる方向に回動する。付勢バネ４４の一端である付勢バネ導通部４４ａは、金属板等の導電性材料から成る本体枠２の導通部（第１の導電性部材）２ａに対して付勢される。これにより、転写材搬送ガイド３５は、第１アース部材３６から付勢キャップ４３と付勢バネを通して、本体枠２に電気的接続されるため、半導電材料を通さず直接接地される。
ここでは、付勢ユニット４０が変位機構を構成する。具体的には、変位機構は、付勢ベース４１，付勢リンク４２，付勢キャップ４３を含む。
【００２０】
以上のように、本実施例では、光学センサユニット２９の位置が、中間転写ユニット交換扉５０の開閉動作に連動して第１位置と第２位置に移動する機構（変位機構）を設ける。これにより、第１位置では、転写材搬送ガイド３５が、半導電材料から成る付勢ベース４１を通して接地することにより、転写バイアスのリークによる転写不良が発生しない抵抗で接地することが可能となる。また、第２位置は、中間転写ユニット交換扉５０が開いている時であり、転写材搬送ガイド３５が、直接接地することにより、中間転写ユニット６の交換や、転写材の詰り時にユーザアクセスによる静電気破壊を防止することができる。その結果、接地経路を共通して使用できると共に、転写材搬送ガイド３５が転写バイアスリーク対策と静電気破壊防止を兼ねることができ、装置の小型化が可能となる。さらに、光学センサユニット２９が中間転写ユニット５から離れるため、中間転写ユニット５交換時に接触し、キズを付けることが起きなくなる。その結果、光学センサユニット２９と中間転写ユニット５の交換に必要な隙間は、交換が必要な時に、光学センサユニット２９の第２位置として、確保できる。このため、光学センサユニット２９の第１位置では、交換に必要な隙間を設ける必要がなくなり、光学センサユニット２９を中間転写ユニット５に対して近接し、光学センサの分解能を向上させることが可能となる。
【００２１】
なお、本発明を具体的な実施例に即して説明したが、本発明は上述の実施例に限定されるものではない。本実施例では、像担持体として中間転写ベルトを用いる中間転写方式について説明したが、像担持体として感光体ドラムを用いて、感光体ドラムに形成されたトナー像を転写材に転写する方式を採用した画像形成装置であってもよい（実施例２についても同様）。
光学センサユニット２９は、色レジストセンサとしたが、静電気破壊の防止が必要な部品であれば、他のデバイスにも使用することができる。
また、付勢ベース４１は、半導電性部材から成るとしたが、このような構成に限られない。本体枠２にシート状の半導電材料から成るシート材を設ける構成や、板状抵抗のような電気抵抗部品を設け、第１位置では、シート材や電気抵抗部品を通して接地する場合も、同様の効果を得ることができる。
【００２２】
［実施例２］
次に、本発明の光学センサユニット２９の実施例２について図４〜５で説明する。図４は、本発明の実施例２に係る光学センサユニット２９を示す図であり、図３の光学センサユニットと相違する点は、接地経路だけなので、同じ構成は同一符号を用いて示している。図４に示すように、線ばねである第２アース部材６２（第２の導電性部材）の一端である第２アース部材導通部６２ａが、転写材搬送ガイド３５に対して半導電性部材から成るシート形状の中抵抗部材６１を付勢する。もう一方が、光学センサ支持部材３４の軸部３４ａを通して、不図示の本体枠２に付勢され接地している。付勢ユニット４０の付勢リンク４２には、ねじりコイルばねの付勢リンクアース部材（第３の導電性部材）６３が設けられている。この付勢リンクアース部材６３の一端である付勢リンクアース部材導通部（接触部）６３ａは、付勢リンク４２の光学センサ支持部材３４の軸部３４ａに対向する面に位置している。もう一端は、不図示の本体枠２に接地している。また、実施例１の付勢バネ４４にある付勢バネ導通部４４ａは、接地経路変更により、不要となるため、本実施例では、付勢キャップ（第２の支持部）４３を付勢するバネとして単純な圧縮バネの付勢バネ６４を用いている。同様に、接地経路変更のため、付勢リンクベース４１と付勢キャップ４３も絶縁材料である一般材料にすることができる。
【００２３】
次に、実施例２の光学センサユニット２９の動作について図５で説明する。図５（ａ）に示すように、実施例１と同じく、中間転写ユニット交換扉５０が閉じた状態では、光学センサユニット２９は駆動ローラ軸７ａに対して、付勢される第１位置となる。これにより、転写材搬送ガイド３５は、半導電材料から成る中抵抗部材６１と第２アース部材６２を通して本体枠２に接地される。
一方、図５（ｂ）に示すように、第１実施形態と同じく、中間転写ユニット交換扉５０が開いた状態で、光学センサユニット２９が駆動ローラ７に対して付勢されない第２位置となる。これにより、付勢リンク４２に取り付けられた付勢リンクアース部材６３のねじりコイルによる付勢力により、付勢リンクアース部材導通部６３ａが第１アース部材３６に接する。これにより、転写材搬送ガイド３５は、第１アース部材３６と付勢リンクアース部材６３を通して接地する。
以上のように、接地経路を設けることで、実施例１と同様の効果を得ることができる。
【００２４】
実施例２では、光学センサユニット２９内に半導電性材料からなる部材を設けるため、付勢ユニット４０の付勢ベース４１に半導電材料を用いる必要が無い。また、実施例１の付勢バネ４４に設けられていた付勢バネ導通部４４ａが不要となり、付勢ユニット４０が小型化され、設計自由度が向上し、装置の小型化をすることが可能となる。
なお、本実施例では、光学センサユニット２９が第２位置になるときに、付勢リンク４２上に位置する付勢リンクアース部材導通部６３ａが第１アース部材３６に接している。このとき、付勢リンクアース部材導通部６３ａが第３の支持部として、付勢リンク４２と
ともに第２位置にある光学センサユニット２９を支持してもよい。また、光学センサユニット２９の支持は別の部材で行い、付勢リンクアース部材導通部６３ａは、電気的な接続のために、第１アース部材３６に接触するにとどまるようにしてもよい。
【符号の説明】
【００２５】
１…画像形成装置，２ａ…導通部，６…中間転写ベルト，２９…光学センサユニット，３０…光学センサ，４１…付勢ベース，４３…付勢キャップ，４４…付勢バネ，４４ａ…付勢バネ導通部，６１…中抵抗部材，Ｓ…転写材，Ｔ２…二次転写部
【図１】
2019015760.tif 000003
【図２】
2019015760.tif 000004
【図３】
2019015760.tif 000005
【図４】
2019015760.tif 000006
【図５】
2019015760.tif 000007